(57)【特許請求の範囲】
【請求項１】
上下の別方向に光を照射可能であり、上方照射用光源と、下方照射用光源と、これら各光源を収容するケーシングと、を有する照明装置において、
前記ケーシングの正面側に光出射面を形成し、
該ケーシング内に、
該ケーシングの両側方向と直交する奥行方向に交差するように前記上方照射用光源および前記下方照射用光源それぞれの基板を収容し、
前記上方照射用光源を、その光軸が前記光出射面に交差しない位置に収容すると共に、該上方照射用光源からの直接光を反射し、該反射した間接光を前記光出射面から少なくとも斜め上方に向けて出射させる反射面を設け、
かつ、前記下方照射用光源を、その光軸が前記光出射面に交差し、該下方照射用光源からの直接光を前記光出射面から斜め下方に向けて出射させる位置に収納したことを特徴とする照明装置。
【請求項２】
前記上方照射用光源と前記下方照射用光源とを、それぞれ同一構造の光源から構成し、
前記反射面は、前記上方照射用光源からの直接光を反射した間接光の照射範囲を、前記下方照射用光源からの直接光の照射範囲よりも拡大するものであることを特徴とする請求項１に記載の照明装置。
【請求項３】
前記下方照射用光源は、前記ケーシングに対して着脱自在なハンドランプに含まれ、
前記ケーシングは、前記ハンドランプを所定の位置に着脱自在に収納するための取付部を有することを特徴とする請求項１または２に記載の照明装置。
【請求項４】
前記ハンドランプは、前記ケーシング側に対して電源コードを介して接続されていることを特徴とする請求項３に記載の照明装置。
【請求項５】
前記ケーシングは、両側方向に延びる長尺のユニット形状であり、
前記上方照射用光源と、前記反射面と、前記下方照射用光源も、それぞれ前記ケーシングの両側方向に沿って延びる形状であることを特徴とする請求項１，２，３または４に記載の照明装置。
【請求項６】
前記上方照射用光源と、前記下方照射用光源は、それぞれ前記基板上に複数のＬＥＤを配列させたものであることを特徴とする請求項１，２，３，４または５に記載の照明装置。
【請求項７】
前記ケーシングを、絶縁性を備えた樹脂材料により成形したことを特徴とする請求項１，２，３，４，５または６に記載の照明装置。
【請求項８】
前記上方照射用光源および前記下方照射用光源を、それぞれ点灯させる制御部を備え、
前記制御部は、前記上方照射用光源および前記下方照射用光源の点灯消灯の他、点灯時の明るさを調整可能であることを特徴とする請求項１，２，３，４，５，６または７に記載の照明装置。
【請求項９】
前記照明装置は、鉄道車輌基地の床下に設けられた点検ピットにおける車輌点検作業時の作業面を照らすと共に安全性を確保するものであり、
前記ケーシングは、前記点検ピット内における開口断面の両側壁、あるいは両側壁の上方に沿って敷設された一対の軌条に設置され、
前記上方照射用光源は、前記点検ピット内で点検作業を行う作業者の目線位置ないし前記一対の軌条上にある車輌底面を間接的に照射し、
前記下方照射用光源は、前記点検ピット内の床面ないし作業者の足元を直接的に照射することを特徴とする請求項１，２，３，４，５，６，７または８に記載の照明装置。
【発明の詳細な説明】
【技術分野】
【０００１】
本発明は、上下の別方向に光を照射可能であり、上方照射用光源と、下方照射用光源と、これら各光源を収容するケーシングと、を有する照明装置に関し、特に、鉄道車輌基地の床下に設けられた点検ピットにおける車輌点検作業時の作業面を照らすと共に安全性を確保するためのものである。
【背景技術】
【０００２】
従来、鉄道車輌基地の床下に設けられた点検ピットでは、車輌点検作業時の作業面を照らすと共に安全性を確保するための照明用として蛍光灯が主に使用されていた。かかる点検ピット内での車輌点検作業時には、作業面である車輌底面の他、ピット床面ないし作業者の足元も広く照らす必要があり、一般に蛍光灯は、ピット内の両側壁、あるいは両側壁の上方に沿って敷設された一対の軌条に沿って、互いに等間隔に並ぶように設置されていた。
【０００３】
このような点検ピット等の特殊な環境下で使用する照明器具であっても、今までは専用のものは開発されておらず、特に配光制御も行っていなかった。また、最近の照明器具の全般的な傾向として、蛍光灯の代わりにＬＥＤランプを光源とするものが増えている。点検ピット用の照明器具として利用可能なものとしては、例えば、特許文献１に記載された駅構内照明用のＬＥＤ照明器をそのまま流用することも考えられる。
【先行技術文献】
【特許文献】
【０００４】
【特許文献１】特開２０１１−１２８９４８号公報
【発明の概要】
【発明が解決しようとする課題】
【０００５】
しかしながら、前述した従来一般の蛍光灯や特許文献１に記載のＬＥＤ照明器では、点検ピット用として配光制御は考慮されていなかった。特に、ピット内での取り付け位置は作業者の目線の近傍となるため、眩しさへの配慮に欠けて安全上好ましくなく、また、足元まで広い範囲で十分に照らすことができない虞もあった。
【０００６】
また、点検ピット内では作業内容により必要な照度があり、通常は一般に１００〜２００ルクス程度で足りるが、作業内容によっては局所的にさらに高い照度が必要となる場合がある。ところが、従来の点検ピット用の照明は固定されており動かすことはできないため、別途ハンドランプを補助灯として用意しなければならず、作業上面倒であった。
【０００７】
本発明は、以上のような従来技術の有する問題点に着目してなされたものであり、上方は間接光で広く照射し下方は直接光で明るく照射する配光制御により、特に点検ピット用の照明として用いた場合に、作業者への眩しさを低減し、車輌底面や足元を効率良く照射することができ、また、特定の箇所を自由に照明することも可能となり、効率の良い適切な照明を実現することができる照明装置を提供することを目的としている。
【課題を解決するための手段】
【０００８】
前述した目的を達成するための本発明の要旨とするところは、以下の各項の発明に存する。  
［１］上下の別方向に光を照射可能であり、上方照射用光源（２０）と、下方照射用光源（３０）と、これら各光源（２０，３０）を収容するケーシング（１１）と、を有する照明装置（１０）において、
前記ケーシング（１１）の正面側に光出射面（１２）を形成し、
該ケーシング（１１）内に、
該ケーシング（１１）の両側方向と直交する奥行方向に交差するように前記上方照射用光源（２０）および前記下方照射用光源（３０）それぞれの基板（２１，３１）を収容し、
前記上方照射用光源（２０）を、その光軸が前記光出射面（１２）に交差しない位置に収容すると共に、該上方照射用光源（２０）からの直接光を反射し、該反射した間接光を前記光出射面（１２）から少なくとも斜め上方に向けて出射させる反射面（４０）を設け、
かつ、前記下方照射用光源（３０）を、その光軸が前記光出射面（１２）に交差し、該下方照射用光源（３０）からの直接光を前記光出射面（１２）から斜め下方に向けて出射させる位置に収納したことを特徴とする照明装置（１０）。
【０００９】
［２］前記上方照射用光源（２０）と前記下方照射用光源（３０）とを、それぞれ同一構造の光源から構成し、
前記反射面（４０）は、前記上方照射用光源（２０）からの直接光を反射した間接光の照射範囲を、前記下方照射用光源（３０）からの直接光の照射範囲よりも拡大するものであることを特徴とする［１］に記載の照明装置（１０）。
【００１０】
［３］前記下方照射用光源（３０）は、前記ケーシング（１１）に対して着脱自在なハンドランプ（５０）に含まれ、
前記ケーシング（１１）は、前記ハンドランプ（５０）を所定の位置に着脱自在に収納するための取付部（１４）を有することを特徴とする［１］または［２］に記載の照明装置（１０）。
【００１１】
［４］前記ハンドランプ（５０）は、前記ケーシング（１１）側に対して電源コードを介して接続されていることを特徴とする［３］に記載の照明装置（１０）。
【００１２】
［５］前記ケーシング（１１）は、両側方向に延びる長尺のユニット形状であり、
前記上方照射用光源（２０）と、前記反射面（４０）と、前記下方照射用光源（３０）も、それぞれ前記ケーシング（１１）の両側方向に沿って延びる形状であることを特徴とする［１］，［２］，［３］または［４］に記載の照明装置（１０）。
【００１３】
［６］前記上方照射用光源（２０）と、前記下方照射用光源（３０）は、それぞれ前記基板（２１，３１）上に複数のＬＥＤ（２２，３２）を配列させたものであることを特徴とする［１］，［２］，［３］，［４］または［５］に記載の照明装置（１０）。
【００１４】
［７］前記ケーシング（１１）を、絶縁性を備えた樹脂材料により成形したことを特徴とする［１］，［２］，［３］，［４］，［５］または［６］に記載の照明装置（１０）。
【００１５】
［８］前記上方照射用光源（２０）および前記下方照射用光源（３０）を、それぞれ点灯させる制御部（６１）を備え、
前記制御部（６１）は、前記上方照射用光源（２０）および前記下方照射用光源（３０）の点灯消灯の他、点灯時の明るさを調整可能であることを特徴とする［１］，［２］，［３］，［４］，［５］，［６］または［７］に記載の照明装置（１０）。
【００１６】
［９］前記照明装置（１０）は、鉄道車輌基地の床下に設けられた点検ピット（Ａ）における車輌点検作業時の作業面を照らすと共に安全性を確保するものであり、
前記ケーシング（１１）は、前記点検ピット（Ａ）内における開口断面の両側壁、あるいは両側壁の上方に沿って敷設された一対の軌条（Ｂ）に設置され、
前記上方照射用光源（２０）は、前記点検ピット（Ａ）内で点検作業を行う作業者の目線位置ないし前記一対の軌条（Ｂ）上にある車輌底面を間接的に照射し、
前記下方照射用光源（３０）は、前記点検ピット（Ａ）内の床面ないし作業者の足元を直接的に照射することを特徴とする［１］，［２］，［３］，［４］，［５］，［６］，［７］または［８］に記載の照明装置（１０）。
【００１７】
次に、前述した解決手段に基づく作用を説明する。  
前記［１］に記載の照明装置（１０）によれば、ケーシング（１１）の正面側の光出射面（１２）より上下の別方向に光が出射される。すなわち、ケーシング（１１）内において、上方照射用光源（２０）からの直接光は光出射面（１２）に交差することなく反射面（４０）により反射され、この反射された間接光が光出射面（１２）から少なくとも斜め上方に向けて出射される。また、ケーシング（１１）内において、下方照射用光源（３０）からの直接光は光出射面（１２）を交差して、そのまま光出射面（１２）より斜め下方に向けて出射される。
【００１８】
このような配光制御により、上方は間接光で下方は直接光となる上下に非対称の２方向に光を照射可能となる。例えば、前記［９］に記載したように、鉄道車輌基地の点検ピット（Ａ）用の照明装置（１０）とした場合、点検ピット（Ａ）内で点検作業を行う作業者の目線位置ないし車輌底面には間接光を照射し、点検ピット（Ａ）内の床面ないし作業者の足元には直接光を照射するので、作業者への眩しさを低減し、車輌底面や足元を効率良く照射することができる。
【００１９】
前記［２］に記載の照明装置（１０）によれば、上方照射用光源（２０）と下方照射用光源（３０）とを、それぞれ同一構造の光源から構成する。これにより、部品が共用化されてコスト低減が可能となる。また、反射面（４０）は、上方照射用光源（２０）からの直接光を反射した間接光の照射範囲を、下方照射用光源（３０）からの直接光の照射範囲よりも拡大する。これにより、上方照射に関してはいっそう眩しさを低減することができ、また広い範囲を照らすことができる。
【００２０】
前記［３］に記載の照明装置（１０）によれば、下方照射用光源（３０）は、ケーシング（１１）に対して着脱自在なハンドランプ（５０）に含まれる。ケーシング（１１）には、ハンドランプ（５０）を所定の位置に着脱自在に収納するための取付部（１４）がある。ハンドランプ（５０）をケーシング（１１）の取付部（１４）に収納した状態では、ケーシング（１１）内において、ハンドランプ（５０）に含まれる下方照射用光源（３０）は、前述したように直接光を光出射面（１２）から斜め下方に向けて出射させる位置となる。ハンドランプ（５０）は、ケーシング（１１）から取り外して、自由に手に持ち使用することができる。
【００２１】
前記［４］に記載の照明装置（１０）によれば、前記ハンドランプ（５０）は、ケーシング（１１）側に対して電源コードを介して接続されている。これにより、ハンドランプ（５０）は取り外した状態でもケーシング（１１）と有線で繋がった状態であり、紛失したり他の場所に置き忘れるようなことを防止することができる。なお、電源コードは、引き出した分を自動で巻き取り可能な構成にすると良い。
【００２２】
前記［５］に記載の照明装置（１０）によれば、前記ケーシング（１１）は、両側方向に延びる長尺のユニット形状であり、上方照射用光源（２０）と、反射面（４０）と、下方照射用光源（３０）も、それぞれ前記ケーシング（１１）の両側方向に沿って延びる形状とする。これにより、各々のユニットを例えば長手方向に連なるように配置することにより、長手方向に延びる広範囲な照明として活用するのに適する。
【００２３】
前記［６］に記載の照明装置（１０）によれば、上方照射用光源（２０）と、下方照射用光源（３０）は、それぞれ基板（２１，３１）上に複数のＬＥＤ（２２，３２）を配列させて構成する。これにより、従来の蛍光灯に比べて小型化が可能であり、消費電力を抑えることができ、配光制御も容易となり、また長寿命でもあるから交換の頻度を減らすことができる。
【００２４】
前記［７］に記載の照明装置（１０）によれば、前記ケーシング（１１）を、絶縁性を備えた樹脂材料により成形する。これにより、絶縁性が備わるだけでなく、防水性や材質の選択によっては耐衝撃性にも優れ、また自由な形状に成形することが可能となる。
【００２５】
前記［８］に記載の照明装置（１０）によれば、上方照射用光源（２０）および下方照射用光源（３０）を、それぞれ点灯させる制御部（６１）を備え、この制御部（６１）は、上方照射用光源（２０）および下方照射用光源（３０）の点灯消灯の他、点灯時の明るさを調整可能である。これにより、前述した構造面における配光制御に加えて、電気的にもより多様な配光制御が可能となる。
【発明の効果】
【００２６】
本発明に係る照明装置によれば、上方は間接光で広く照射すると共に下方は直接光で明るく照射する配光制御により、特に点検ピット用の照明として用いた場合に、作業面を照らす際に作業者への眩しさを低減し、車輌底面や足元を効率良く照射することができ、作業の安全性や迅速性を補助することができる。
【００２７】
また、下方照射用光源を、ケーシングに対して着脱自在なハンドランプとしたから、ケーシングから取り外して手に持ち使用することができ、特定の箇所を自由に照明することも可能となり、ケーシングの設置場所に限定されることなく、効率の良い適切な照明を実現することができる。
【図面の簡単な説明】
【００２８】
【図１】本発明の実施の形態に係る照明装置の内部構造を拡大して示す端面図である。
【図２】本発明の実施の形態に係る照明装置を示す斜視図である。
【図３】本発明の実施の形態に係る照明装置を示す正面図である。
【図４】本発明の実施の形態に係る照明装置を示す背面図である。
【図５】本発明の実施の形態に係る照明装置を示す平面図である。
【図６】本発明の実施の形態に係る照明装置を示す底面図である。
【図７】本発明の実施の形態に係る照明装置を拡大して示す右側面図である。
【図８】本発明の実施の形態に係る照明装置を拡大して示す左側面図である。
【図９】本発明の実施の形態に係る照明装置のケーシングから取り外したハンドランプを拡大して示す斜視図である。
【図１０】本発明の実施の形態に係る照明装置のハンドランプを示す正面図である。
【図１１】本発明の実施の形態に係る照明装置のハンドランプを示す平面図である。
【図１２】本発明の実施の形態に係る照明装置のハンドランプを示す底面図である。
【図１３】本発明の実施の形態に係る照明装置のハンドランプを拡大して示す右側面図である。
【図１４】本発明の実施の形態に係る照明装置のハンドランプを拡大して示す左側面図である。
【図１５】本発明の実施の形態に係る照明装置の制御部を示すブロック図である。
【図１６】本発明の実施の形態に係る照明装置を鉄道車輌基地の点検ピットに取り付けた状態を概略的に示す断面図である。
【図１７】本発明の実施の形態に係る照明装置を鉄道車輌基地の点検ピットに取り付けた状態を概略的に示す平面図である。
【発明を実施するための形態】
【００２９】
以下、図面に基づき、本発明を代表する実施の形態を説明する。  
図１〜図１７は、本発明の一実施の形態を示している。  
本実施の形態に係る照明装置１０は、上下の別方向に光を照射可能なものであり、点検ピット用の照明として適している。以下、照明装置１０を鉄道車輌基地の点検ピットに設置する場合を例にして説明する。
【００３０】
点検ピットについて先ず説明する。図１６に示すように、鉄道車輌基地の床下に矩形断面の凹溝として点検ピットＡは設けられている。点検ピットＡの大きさは、例えば開口断面の幅は８５０ｍｍ程度である。図１６（ａ）では、点検ピットＡ内の両側壁の上方に沿って、床面上に一対の軌条ＢおよびレールＣが敷設されている。軌条ＢはＩ型鋼からなり、レールＣ上には点検する車輌が載せられる。図１６（ｂ）では、床面上に直接レールＣが敷設されている。
【００３１】
照明装置１０は、図１６（ａ）に示す軌条Ｂの内側に設置しても良く、あるいは図１６（ｂ）に示すように、点検ピットＡ内の両側壁の上部に沿って設けられた取付溝に設置しても良い。照明装置１０は、同一直線上に等間隔に並ぶように複数設置され、それぞれが独立して点灯制御される。図１７に示す例では、各照明装置１０は、それぞれ隣同士で中心間の距離が２．５ｍ程度に配置されているが、実際には２．５〜１０ｍ程度に適宜設定される。また、図１７に示す例では、左右両側で互い違いに千鳥配列に配置されているが、左右両側で互い対面するように配置しても良い。要は、必要な照度に応じて配置は異なる。
【００３２】
図１に示すように、照明装置１０は、上方照射用光源２０と、下方照射用光源３０と、これら各光源２０，３０を収容するケーシング１１と、を有して成る。図１〜図６に示すように、ケーシング１１は、両側方向に延びる長尺のユニット形状であり、両端が開口した扁平管状の閉鎖断面形に成形されている。ケーシング１１は、絶縁性を備えた樹脂材料により押し出し成形することができるが、正面側は光出射面１２を形成するため、少なくとも正面側は透光性の樹脂材料により成形される。
【００３３】
図１に示すように、ケーシング１１内には、上方照射用光源２０が、その光軸が前記光出射面１２に交差しない位置に収容され、該上方照射用光源２０からの直接光を反射し、該反射した間接光を前記光出射面１２から斜め上方に向けて出射させる反射面４０が設けられている。また、ケーシング１１内には、下方照射用光源３０が、その光軸が前記光出射面１２に交差し、該下方照射用光源３０からの直接光を前記光出射面１２から斜め下方に向けて出射させる位置に収納されている。
【００３４】
上方照射用光源２０は、前記ケーシング１１の両側方向に沿って延びる形状であり、詳しくは、細幅状の基板２１上に表面実装型のＬＥＤチップ２２を複数配列させたものである。ＬＥＤチップ２２は、一般的であるので詳細な説明は省略するが、基板２１に対して直交する光軸を中心に所定角度の放射範囲で光を出射するタイプが用いられる。ＬＥＤチップ２２の発光色は任意に選択できる。基板２１はその一面が実装面であり、該実装面上にＬＥＤチップ２２が電気的に接続される配線回路が形成されている。
【００３５】
下方照射用光源３０も、前記ケーシング１１の両側方向に沿って延びる形状であり、前記上方照射用光源２０と同一構造である。すなわち、細幅状の基板３１上に表面実装型のＬＥＤチップ３２を複数配列させたものである。かかる下方照射用光源３０は、後述するがケーシング１１に対して着脱自在なハンドランプ５０に含まれている。なお、上方照射用光源２０や下方照射用光源３０の具体的な種類は特に限定されないが、ＬＥＤであることが好ましい。ＬＥＤは小型であること、低消費電力であること、長寿命であることという利点を有する。
【００３６】
反射面４０は、図１に示す断面形状であり、前記ケーシング１１の両側方向に沿って延びる形状に成形された反射部材４１に含まれている。詳しく言えば反射部材４１は、その下端部の内側に、前記上方照射用光源２０をその光軸が斜め後側（図１中で左側）の上方に向かう状態に装着する固定部４２を備えている。この固定部４２の前後には、互いに対向する一対の嵌合溝４２ａ，４２ａが設けられており、各嵌合溝４２ａの間に、前記上方照射用光源２０の基板２１の両側端縁がそれぞれ嵌合した状態で固定される。
【００３７】
固定部４２の後端縁に沿って、斜め後側の上方に湾曲して立ち上がり、徐々に斜め前側（図１中で右側）の上方に向かって湾曲した主反射板４３が設けられており、この主反射板４３の内側が前記反射面４０となっている。また、前記固定部４２の前端縁に沿って、斜め後側の上方に湾曲して立ち上がる副反射板４４が設けられている。この副反射板４４は、光出射面１２の外側からは上方照射用光源２０が見えないように隠蔽する構造であり、副反射板４４の内側は、前記上方照射用光源２０からの直接光を前記反射面４０に向けて反射する反射面４０ａとなっている。
【００３８】
前記反射面４０は、前述したように上下に大きく拡がる形状であり、前記上方照射用光源２０からの直接光を反射した間接光の照射範囲を、前記下方照射用光源３０からの直接光の照射範囲よりも拡大するものである。なお、前記各反射面４０，４０ａは、光反射効率が高くなる表面処理が施されたものであり、具体的には例えば、鏡面加工を施したり、あるいは白色塗料を塗布しても良い。
【００３９】
図２に示すように、ケーシング１１の光出射面１２の中央下部の内側には電源収納部１３が設けられている。電源収納部１３は、図１に示すように、次述する取付部１４と同様の扇形断面の空間となっており、その内部には、図１５に示す照明装置１０の制御部６１や電源６２の他、ハンドランプ用のコードリール等が収納されている。
【００４０】
ここで制御部６１は、上方照射用光源２０および下方照射用光源３０の各種点灯制御を実行するものである。制御部６１は具体的には、制御の中枢的機能を果たすＣＰＵ（中央処理装置）と、ＣＰＵの実行するプログラムや各種の固定的データを記憶するＲＯＭと、プログラムを実行する上で一時的に必要になるデータを記憶するためのＲＡＭ等を主要部とする回路により構成されている。制御部６１は、上方照射用光源２０および下方照射用光源３０の点灯消灯の他、点灯時の明るさを無段階に調整可能である。具体的な調光方法としては、一般に知られている電流調光でもＰＷＭ調光でも良い。
【００４１】
また、ケーシング１１内において、前記電源収納部１３の両側にはそれぞれ前記下方照射用光源３０を含むハンドランプ５０を着脱自在に収納する取付部１４が設けられている。各取付部１４は、それぞれ側方を向く一端側がハンドランプ５０の出入口として開口している。取付部１４の内部は、ハンドランプ５０の断面形状に合致する扇形断面の空間となっており、取付部１４にハンドランプ５０を収納した際、ハンドランプ５０の下方照射用光源３０が前述した配光向きに位置するように設定されている。
【００４２】
図９〜図１４に示すように、ハンドランプ５０は、前記取付部１４の全長に合致する長さの光源ケース部５１と、該光源ケース部５１の一端側より所定長さ延出した円柱形の把持部５２とから成る。図１に示すように、光源ケース部５１は、扇形断面形状に成形されており、扇形の頂部内側に前記下方照射用光源３０の基板３１を取り付ける装着面５３が設けられている。また、光源ケース部５１の円弧形の外壁部５４は、前記ケーシング１１の光出射面１２と同様に透光性の樹脂材料により成形されている。
【００４３】
前記ハンドランプ５０は、ケーシング１１側に対して図示省略した電源コードを介して接続されている。かかる電源コードは、前記電源収納部１３に収納されているコードリールによって引き出した分を自動で巻き取り可能に構成されている。なお、コードリールについても図示省略したが、その構成も一般的であるので詳細な説明は省略する。
【００４４】
また、図１に示すように、ケーシング１１内において、前記取付部１４の斜めに傾斜した上面側は、前記反射部材４１の固定部４２を取り付けるための支持台１５となっている。この支持台１５には、前記固定部４２の裏側に設けられた嵌合突起４５がスライド自在に係合する被嵌合溝１６が設けられている。また、前記反射部材４１の主反射板４３の上端縁が対接する前記光出射面１２の内面側には、該主反射板４３の上端縁がスライド自在に係合する被嵌合溝１７が設けられている。
【００４５】
図２に示すように、ケーシング１１の両端の開口には着脱自在なキャップ１８が設けられており、このキャップ１８を外した状態でケーシング１１の開口より、内部に反射部材４１および上方照射用光源２０を挿入することができる。反射部材４１は、その主反射板４３の上端縁と嵌合突起４５を、それぞれケーシング１１側の被嵌合溝１６，１７に係合させることで位置決めして取り付けることができ、上方照射用光源２０が前述した配光向きに位置するように設定されている。
【００４６】
次に、照明装置１０の作用について説明する。  
図１６に示すように、本照明装置１０は、鉄道車輌基地にある点検ピットＡ用の照明として用いられ、車輌点検作業時の作業面を照らすと共に安全性を確保する。照明装置１０の具体的な設置箇所としては、図１６（ａ）に示すように、軌条Ｂの上にレールＣが敷設されている場合は、軌条Ｂの内側に設置しても良く、あるいは図１６（ｂ）に示すように、点検ピットＡ内の両側壁の上部に沿って設けられた取付溝に設置しても良い。図１７に示すように、照明装置１０は、同一直線上に等間隔に並ぶように複数設置される。
【００４７】
何れの設置箇所にせよ、照明装置１０の高さ位置は、点検ピットＡ内における作業者の目線位置とほぼ同じとなるが、従来のピット照明として用いていた蛍光灯の配光のような眩しさは低減される。すなわち、本照明装置１０によれば、上方は間接光で広く照射すると共に下方は直接光で明るく照射する配光制御により、作業者への眩しさを低減し、車輌底面や足元を効率良く照射することができ、従来の蛍光灯では不可能である効率の良い照明が可能となる。
【００４８】
詳しく言えば、図１に示すように、照明装置１０はその通常の設置状態において、ケーシング１１の正面側の光出射面１２より上下の別方向に光が出射する。すなわち、ケーシング１１内において、上方照射用光源２０からの直接光は光出射面１２に交差することなく反射面４０により反射され、この反射された間接光が光出射面１２から少なくとも斜め上方に向けて出射される。また、ケーシング１１内において、下方照射用光源３０からの直接光は光出射面１２を交差して、そのまま光出射面１２より斜め下方に向けて出射される。
【００４９】
このような照明装置１０の配光制御により、上方は間接光で下方は直接光となる上下に非対称の２方向に光を照射可能となる。よって、点検ピットＡ内で点検作業を行う作業者の目線位置ないし車輌底面には間接光を照射し、点検ピットＡ内の床面ないし作業者の足元には直接光を照射するので、作業面を照らす際に作業者への眩しさを低減し、車輌底面や足元を効率良く照射することが可能となり、作業の安全性や迅速性を補助することができる。
【００５０】
本照明装置１０では、上方照射用光源２０や下方照射用光源３０としてＬＥＤチップ２２，３２を用いたことにより、最適な配光制御を容易に実現することができるばかりでなく、所望の明るさを低い電力消費で得ることができ、蛍光灯に比べて装置全体を小型化することができ、設置場所やケーシング１１の形状に合わせて自由にデザインすることも可能となる。また、ＬＥＤは蛍光灯に比べて寿命も長いため、頻繁に交換する必要もない。
【００５１】
また、本実施の形態では、上方照射用光源２０と下方照射用光源３０とを、それぞれ同一構造の光源から構成するから、部品が共用化されてコスト低減が可能となる。また、反射面４０は、比較的広い面積を有しており、上方照射用光源２０からの直接光を反射した間接光の照射範囲を、下方照射用光源３０からの直接光の照射範囲よりも拡大する。これにより、上方照射に関してはいっそう眩しさを低減することができ、広い範囲を照らすことができる。
【００５２】
さらに、下方照射用光源３０は、ケーシング１１に対して着脱自在なハンドランプ５０に含まれる。ケーシング１１には、ハンドランプ５０を所定の位置に着脱自在に収納するための取付部１４がある。ハンドランプ５０をケーシング１１の取付部１４に収納した状態では、ケーシング１１内において、ハンドランプ５０に含まれる下方照射用光源３０は、前述したように直接光を光出射面１２から斜め下方に向けて出射させる位置となる。
【００５３】
点検ピットＡ内では作業内容により必要な照度があり、通常は一般に１００〜２００ルクス程度で足りるが、作業内容によっては局所的にさらに高い照度が必要となる場合がある。そこで、ハンドランプ５０をケーシング１１から取り外して、自由に手に持ち特定の箇所を自由に照射することができる。これにより、照明装置１０とは別に補助灯を用意する必要はなくなり、いっそう効率の良い適切な照明を実現することができる。
【００５４】
ハンドランプ５０は、ケーシング１１側に対して電源コードを介して接続されている。これにより、ハンドランプ５０は取り外した状態でもケーシング１１と有線で繋がった状態であり、紛失してしまったり、他の場所に置き忘れるようなことを防止することができる。なお、電源コードは、コードリール等により引き出した分は自動で巻き取り可能に構成されている。
【００５５】
また、本実施の形態では、照明装置１０のケーシング１１は、両側方向に延びる長尺のユニット形状であり、上方照射用光源２０と、反射面４０と、下方照射用光源３０も、それぞれ前記ケーシング１１の両側方向に沿って延びる形状である。これにより、各々のユニットを長手方向に連なるように配置することにより、長手方向に延びる広範囲な照明として活用するのに適する。また、ケーシング１１やハンドランプ５０は、絶縁性を備えた樹脂材料により成形するため、絶縁性が備わるだけでなく、防水性や材質の選択によっては耐衝撃性にも優れ、また自由な形状に成形することが可能となる。ここで耐衝撃性に優れた材質としては、例えばポリカーボネート等がある。
【００５６】
さらに、本照明装置１０によれば、上方照射用光源２０および下方照射用光源３０を、それぞれ点灯させる制御部６１を備え、この制御部６１は、上方照射用光源２０および下方照射用光源３０の点灯消灯の他、点灯時の明るさを無段階に調整可能である。これにより、前述した構造的な配光制御に加えて、電気的にもより多様な配光制御が可能となる。他の制御としては例えば、制御部６１により、点検ピットＡ内に設けた人感センサからの検出出力に応じて、作業者がいる付近の照明装置１０のみを選択して点灯するように制御しても良い。
【００５７】
また、レールＣ上における車輌の有無を検知するセンサからの出力に応じて、例えば、制御部６１により、車輌がある場合には、上方照射用光源２０および下方照射用光源３０を両方とも点灯させる一方、車輌がない場合には、下方照射用光源３０のみを点灯させるように制御しても良い。
【００５８】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、照明装置１０を鉄道車輌基地の点検ピットに設置する例を説明したが、自動車やエレベーター等の他の設備における点検ピットに設置しても良い。もちろん、点検ピットの照明用に用途が限定されることもない。また、ケーシング１１や反射面４０の具体的な形状も、図示した例に限定されることはない。
【産業上の利用可能性】
【００５９】
本発明に係る照明装置は、鉄道車輌基地の点検ピット用の照明等に幅広く利用することができる。
【符号の説明】
【００６０】
Ａ…点検ピット
Ｂ…軌条
Ｃ…レール
１０…照明装置
１１…ケーシング
１２…光出射面
１３…電源収納部
１４…取付部
１５…支持台
１６…被嵌合溝
１７…被嵌合溝
２０…上方照射用光源
２１…基板
２２…ＬＥＤチップ
３０…下方照射用光源
３１…基板
３２…ＬＥＤチップ
４０…反射面
４０ａ…反射面
４１…反射部材
４２…固定部
４３…主反射板
４４…副反射板
４５…嵌合突起
５０…ハンドランプ
５１…光源ケース部
５２…把持部
６１…制御部
６２…電源
【図１】
0005989336.tif 000002
【図２】
0005989336.tif 000003
【図３】
0005989336.tif 000004
【図４】
0005989336.tif 000005
【図５】
0005989336.tif 000006
【図６】
0005989336.tif 000007
【図７】
0005989336.tif 000008
【図８】
0005989336.tif 000009
【図９】
0005989336.tif 000010
【図１０】
0005989336.tif 000011
【図１１】
0005989336.tif 000012
【図１２】
0005989336.tif 000013
【図１３】
0005989336.tif 000014
【図１４】
0005989336.tif 000015
【図１５】
0005989336.tif 000016
【図１６】
0005989336.tif 000017
【図１７】
0005989336.tif 000018